(57)【特許請求の範囲】
【請求項１】
公衆回線を介して受信した画像を印字する本体と、通話のための受話器と、画像を読み取って前記本体に出力するハンドスキャナと、を備える停電対応ファクシミリ装置であって、
前記本体は、外部からの交流電圧を直流電圧に変換して前記本体側及び前記スキャナ側に出力する電源部を有し、
前記ハンドスキャナは、前記電源部からの直流電流が供給される内部２次電池と、
前記内部２次電池への直流電流の供給の有無を検出するスキャナ制御回路と、を有する停電対応ファクシミリ装置において、
前記本体は、更に、前記受話器のフック状態を検出するフック検出回路と、公衆回線からのベル信号の有無を検出するベル検出回路とを有し、
前記スキャナ制御回路が当該供給の無しを検出した後、前記フック検出回路が受話器のオフフックを検出した場合、または、前記ベル検出回路が上記ベル信号の有りを検出した場合、前記ハンドスキャナの内部２次電池から前記本体側へ電力供給することを特徴とする停電対応ファクシミリ装置。
【請求項２】
請求項１記載の停電対応ファクシミリ装置であって、更に、ブザーを備え、前記スキャナ制御回路が当該供給の無しを検出したとき、当該ブザーが所定時間作動することを特徴とする停電対応ファクシミリ装置。
【発明の詳細な説明】
【０００１】
【発明の属する技術分野】
本発明は、公衆回線に接続可能で、停電時の電源切替えが可能な停電対応ファクシミリ装置に関するものである。
【０００２】
【従来の技術】
ファクシミリ装置は、商用電源等の外部交流電源（外部ＡＣ電源）の停電時においても音声通話動作を維持することが要求される。すなわち、ファクシミリ装置本体に入力される外部交流電源が停電したか否かを判定し、外部交流電源が停電したと判定したときは、外部交流電源を受電して電力を供給する電源部の出力直流電圧に代えて、公衆回線電力を別系統の停電通話回路へ送り、公衆回線電力により音声通話回路を動作するようにしている。
【０００３】
またファクシミリ装置本体内に２次電池を搭載し、外部交流電源が停電した時にこの２次電池から画像通信回路（モデム，メモリ回路等）に電力を供給することにより、停電時にも画像通信を可能にすることが考えられる。
【０００４】
【発明が解決しようとする課題】
従来、停電時にも音声通話を可能にするためには停電対策専用の回路が必要であり、構成要素が増加し、かつ複雑化し、部品点数の増加による必要スペースの増加や高価格化を招来するという問題点を有していた。
【０００５】
本発明は、この要求を満たすため、専用の停電回路を不要として、省スペース化、低価格化を図ることができる停電対応ファクシミリ装置を提供することを目的とする。
【０００６】
【課題を解決するための手段】
上記課題を解決するために本発明の停電対応ファクシミリ装置は、外部電源の交流電圧を直流電圧に変換して出力する電源部と、２次電池とを有し、外部電源が停電したときは２次電池の電力によって本体内の回路を駆動するように構成したものである。
【０００７】
これにより、専用の停電回路を不要として、省スペース化、低価格化を図ることができる停電対応ファクシミリ装置が得られる。
【０００８】
【発明の実施の形態】
本発明の請求項１に記載の発明は、公衆回線を介して受信した画像を印字する本体と、通話のための受話器と、  画像を読み取って上記本体に出力するハンドスキャナと、を備える停電対応ファクシミリ装置であって、上記本体は、外部からの交流電圧を直流電圧に変換して上記本体側及び上記スキャナ側に出力する電源部を有し、上記ハンドスキャナは、上記電源部からの直流電流が供給される内部２次電池と、上記内部２次電池への直流電流の供給の有無を検出するスキャナ制御回路と、を有する停電対応ファクシミリ装置において、上記本体は、更に、上記受話器のフック状態を検出するフック検出回路と、公衆回線からのベル信号の有無を検出するベル検出回路とを有し、上記スキャナ制御回路が当該供給の無しを検出した後、上記フック検出回路が受話器のオフフックを検出した場合、または、上記ベル検出回路が上記ベル信号の有りを検出した場合、上記ハンドスキャナの内部２次電池から上記本体側へ電力供給するように構成した。
【０００９】
この構成により、停電が発生した後、ユーザが受話器を取り上げた際、又は、ベル信号を受信した際に、ハンドスキャナの内部２次電池から本体側に電力が供給されることになる。
【００１０】
本発明の請求項２の発明は、更に、ブザーを備え、前記スキャナ制御回路が当該供給の無しを検出したとき、当該ブザーが所定時間作動するように構成した。
【００１１】
この構成により、ユーザは、ブザーが鳴ることにより停電となったことを認知し、その後の通話は、ハンドスキャナの２次電池による通話となることを知ることができる。
【００２０】
以下、本発明の実施の形態について、図１〜図３を用いて説明する。
【００２１】
（実施の形態１）
図１は本発明の実施の形態１による停電対応ファクシミリ装置を示すブロック図である。
【００２２】
図１において、１は停電対応ファクシミリ装置、２は停電対応ファクシミリ装置１を構成する本体、３は停電対応ファクシミリ装置１を構成し本体２からの取外しが可能なコードレスハンドスキャナ、４は外部交流電源（外部ＡＣ電源）を直流に変換し停電対応ファクシミリ装置１全体に電力を供給する電源部、５は装置全体を制御する本体制御回路、６は後述の公衆回線１３からの着信を検出するベル検出回路、７はファクシミリデータ及びコードレスハンドスキャナ３が読み取った画像データを印字出力する印字部、８は画像データや音声データ、ワークデータを格納するメモリ、９は受話器、１０は受話器９の状態を検出するフック検出回路、１１は後述の内部２次電池１４を充電する２次電池充電回路、１２はダイヤルボタンと各種操作ボタンから構成される操作部、１４は本体１に接続される公衆回線、１４はコードレスハンドスキャナ３が本体２から取り外されて単独で使用された場合の電源となる内部２次電池、１５は内部２次電池１４の電源電圧を入力して安定した電源電圧を出力する安定電源生成回路、１６はコードレスハンドスキャナ３全体を制御するスキャナ制御回路、１７は停電となった場合の本体２への電力供給を制御する停電制御回路、１８は外部の電池（外部２次電池又は外部１次電池）２２を搭載した電池パック２３を接続するための外部電池接続コネクタ、１９は状態を知らせるブザ、２０は各ユーザ設定を行う操作部、２１は印字用紙等から画像を読み取る画像読取り部である。停電対応ファクシミリ装置１においては、ベル検出回路６を公衆回線１３に接続することで、外部との通信を行うことができる。
【００２３】
このように構成された停電対応ファクシミリ装置１について、その動作を図２、図３を用いて説明する。図２は本体制御回路５の動作を示すフローチャートであり、図３はスキャナ制御回路１６の動作を示すフローチャートである。
【００２４】
まず、停電対応ファクシミリ装置１の本体制御回路５の動作を図２を用いて説明する。
【００２５】
停電対応ファクシミリ装置１に外部ＡＣ電源を接続すると、電源部４は、外部ＡＣ電源電圧を直流電圧に変換し、生成した直流電圧を本体１内部（直接的には本体制御回路５と２次電池充電回路１１）とコードレスハンドスキャナ３とに供給し、これにより本体制御回路５はイニシャル動作を行い（Ｓ１）、コードレスハンドスキャナに内部２次電池１４が接続されているか否かを停電制御回路１７からの通知に基づいて判定する（Ｓ２）。本体制御回路５は、内部２次電池１４が接続されていると判定した場合には２次電池充電回路１１により充電を開始し（Ｓ３）、接続されていないと判定した場合には充電を停止する（Ｓ４）。次に、本体制御回路５は状態監視を行う（Ｓ５）。すなわち、ベル検出回路６、フック検出回路１０、操作部１２、コードレスハンドスキャナ３の状態を監視し、動作要求が生じた場合には（Ｓ６）、要求に従った処理を実行する（Ｓ７）。
【００２６】
次に、スキャナ制御回路１６の動作を図３を用いて説明する。
【００２７】
まず、コードレスハンドスキャナ３に内部２次電池１４から直流電圧が供給されると、スキャナ制御回路１６はイニシャル動作を行い（Ｓ１１）、本体２と接続されているか（Ｓ１２）、内部２次電池１４は接続されているか（Ｓ１３）、本体２から直流電圧は供給されているか（つまり外部交流電源が停電状態でないか）の判定を行う。ステップＳ１２で本体と接続されていないと判定した場合またはステップＳ１３で内部２次電池１４は接続されていないと判定した場合あるいはステップＳ１４で本体２から直流電圧が供給されていないと判定した場合には、スキャナー制御回路１６は、本体制御回路５からの指示と、コードレスハンドスキャナ３の接続状態と、操作部２０の状態と、本体２の電源部４の出力状態とを監視しており（Ｓ１５）、動作要求が発生した場合や状態変化が生じた場合は（Ｓ１６）、それらに応じた処理を実行する（Ｓ１７）。
【００２８】
ステップＳ１４で本体２から直流電圧が供給されていないと判定した場合（すなわち外部からの電力供給が停止した停電状態の場合）について説明する。外部からのＡＣ電源の供給が停止すると、電源部４の直流電圧出力が停止し、本体２の機能は停止する。しかし、コードレスハンドスキャナ３には内部２次電池１４が接続されており、本体２からの直流電圧供給が停止しても、機能を停止することなく動作が可能となる。スキャナ制御回路１６は、本体２に接続されている状態では電源部４の出力状態を監視しており、電源部４の直流電圧出力が停止した場合には、停電状態と判定し、停電処理へ移行する。この停電処理の前提条件について述べると、ステップＳ１２〜Ｓ１４から分かるように、コードレスハンドスキャナ３は本体２に接続され、内部２次電池１４は接続され、本体から直流電圧の供給は無い。
【００２９】
停電処理へ移行したスキャナ制御回路１６は、内部２次電池１４の消耗状態を判定する（Ｓ１８）。消耗していると判定した場合は、推定動作時間が設定された規定時間を下回った場合にはブザー１９を動作させ、ユーザに対し警告を行う（Ｓ１９）。警告を受けたユーザは、動作時間が残り少なくなったことを認識できる。また、ユーザは、外部２次電池２２または外部１次電池２２を搭載した電池パック２３をコードレスハンドスキャナ３の外部電池接続コネクタ１８に接続することで動作時間を延ばすことができる。
【００３０】
ステップＳ１８で内部２次電池１４は消耗していないと判定した場合、ベル検出回路６の状態とフック検出回路１７の状態との監視を行う（Ｓ２０）。公衆回線１３からの着信があった場合には、ベル検出回路６の状態が変化し、スキャナ制御回路１６にて着信を検出する（Ｓ２１）。外部からの着信を検出したスキャナ制御回路１６は、停電制御回路１７に指示を出し、本体２に電力供給を開始する（Ｓ２２）。起動した本体制御回路５は、要求に従った処理を実行し、処理が終了した場合には、処理終了をスキャナ制御回路１６に伝える（Ｓ２３）。処理終了を受けたスキャナ制御回路１６は、停電制御回路１７に指示を出し、本体２への電力供給を停止し（Ｓ２４）、停電処理の状態監視へと移行、すなわちステップＳ１２へ移行する。
【００３１】
ステップＳ２１においては、受話器９が持ち上げられた場合（オフフックとなった場合）にも動作要求有りと判定される。すなわち、受話器９が持ち上げられた場合にフック検出回路１０の状態が変化し、スキャナ制御回路１６にて通話要求を検出する。通話要求を検出したスキャナ制御回路１６は、停電制御回路１７に指示を出し、本体２に電力供給を開始し（Ｓ２２）、起動した本体制御回路５は、要求に従った処理を実行し、処理が終了した場合には、処理終了をスキャナ制御回路１６に伝える（Ｓ２３）。処理終了を受けたスキャナ制御回路１６は停電制御回路１７に指示を出し、本体２への電力供給を停止し（Ｓ２４）、停電処理の状態監視へと移行する。
【００３２】
停電処理状態時において、外部からＡＣ電源が供給されると、本体制御回路５はイニシャル動作を実行し（Ｓ１）、通常動作の待機状態へ移行する（Ｓ２〜Ｓ５）。
【００３３】
以上のように本実施の形態によれば、別機能として搭載している内部２次電池１４を停電時の電源として使用することにより、公衆回線電力を利用するための専用停電回路を実装することなく停電対応が可能となる。また、従来不可能だったファクシミリ機能についても実現可能となる。さらに、外部２次電池２２または外部１次電池２２を搭載した電池パック２３を接続することで、必要時に連続した動作が可能となる。
【００３４】
【発明の効果】
本発明の請求項１に記載の発明は、公衆回線を介して受信した画像を印字する本体と、通話のための受話器と、  画像を読み取って上記本体に出力するハンドスキャナと、を備える停電対応ファクシミリ装置であって、上記本体は、外部からの交流電圧を直流電圧に変換して上記本体側及び上記スキャナ側に出力する電源部を有し、上記ハンドスキャナは、上記電源部からの直流電流が供給される内部２次電池と、上記内部２次電池への直流電流の供給の有無を検出するスキャナ制御回路と、を有する停電対応ファクシミリ装置において、上記本体は、更に、上記受話器のフック状態を検出するフック検出回路と、公衆回線からのベル信号の有無を検出するベル検出回路とを有し、上記スキャナ制御回路が当該供給の無しを検出した後、上記フック検出回路が受話器のオフフックを検出した場合、または、上記ベル検出回路が上記ベル信号の有りを検出した場合、上記ハンドスキャナの内部２次電池から上記本体側へ電力供給するように構成した。この構成により、停電が発生した後、ユーザが受話器を取り上げた際、又は、ベル信号を受信した際に、ハンドスキャナの内部２次電池から本体側に電力が供給されることになる。よって、通話の際にのみ、内部２次電池が使用されて、当該２次電池の消耗が少ないという効果がある。また、本発明の請求項２の発明は、更に、ブザーを備え、上記スキャナ制御回路が当該供給の無しを検出したとき、当該ブザーが所定時間作動するように構成した。この構成により、ユーザは、ブザーが鳴ることにより停電となったことを認知し、その後の通話は、ハンドスキャナの２次電池による通話となることを知ることができるという効果がある。よって、ブザーが鳴った後、ユーザは、通話時間を短くするようになる。
【図面の簡単な説明】
【図１】本発明の実施の形態１による停電対応ファクシミリ装置を示すブロック図
【図２】本体制御回路の動作を示すフローチャート
【図３】スキャナ制御回路の動作を示すフローチャート
【符号の説明】
１  ファクシミリ装置
２  本体
３  コードレスハンドスキャナ
４  電源部
５  本体制御回路
６  ベル検出回路
７  印字部
８  メモリ
９  受話器
１０  フック検出回路
１１  ２次電池充電回路
１２、２０  操作部
１３  公衆回線
１４  内部２次電池
１５  安定電源生成回路
１６  スキャナ制御回路
１７  停電制御回路
１８  外部電池接続コネクタ
１９  ブザー
２１  画像読取り部
２２  外部電池（外部２次電池または外部１次電池）
２３  電池パック
【図１】
0003630083.tif 000002
【図２】
0003630083.tif 000003
【図３】
0003630083.tif 000004